(57)【特許請求の範囲】
【請求項１】
液体分配装置において、
ａ）複数の液体排出穴（１８）を有する床（１２）により相互に接続された離間分離した第一の側壁（８）と、第二の側壁（１０）とを有する少なくとも１つの細長いトラフ（４）と、
ｂ）複数の孔（２２）を有して、前記トラフ（４）の前記第一の側壁（８）と前記第二の側壁（１０）との間に配置された少なくとも１つの細長いｖ字形板（２０）とを備える、液体分配装置。
【請求項２】
請求項１に記載の液体分配装置において、出口穴（２４）を有する流れ管（６）を更に備え、前記出口穴（２４）が前記トラフ（４）に位置合わせされた状態で、前記流れ管（６）は前記トラフ（４）の上方に位置される、液体分配装置。
【請求項３】
請求項１に記載の液体分配装置において、前記ｖ字形板（２０）は、ある容積を画成し、前記ｖ字形板（２０）により画成された前記容積内にて垂直に配置された複数の分割器（３４）を更に備え、該分割器（３４）は、前記容積を複数の領域（３６）に画成するとともに、領域（３６）間の流れを許容するオーバーフロー通路（３８）を画成する、液体分配装置。
【請求項４】
請求項３に記載の液体分配装置において、出口穴（２４）を有する流れ管（６）を更に備え、前記出口穴（２４）が前記トラフ（４）に位置合わせされた状態で、前記流れ管（６）は前記トラフ（４）の上方に位置され、前記分割器（３４）は、前記流れ管（６）の前記出口穴（２４）の位置の間に配置される、液体分配装置。
【請求項５】
請求項１に記載の液体分配装置において、前記トラフ（４）の前記床（１２）の液体排出穴（１８）に隣接する少なくとも１つの物質移動床（３５）を更に備える、液体分配装置。
【請求項６】
液体を分配する方法において、
ａ）液体を流れ管を通して伝導する工程と、
ｂ）前記流れ管からの液体を前記流れ管の一連の出口穴を通して排出する工程と、
ｃ）前記排出された液体をｖ字形板の孔を通して床によって相互に接続された離間分離した第一の側壁及び第二の側壁を有する細長いトラフ内に進める工程とを備え、前記床は複数の液体を排出する穴を有し、前記ｖ字形板は前記第一の側壁と前記第二の側壁との間に配置され、
ｄ）前記液体を前記トラフの前記床の前記液体排出穴を通して進める工程を備える、液体を分配する方法。
【請求項７】
請求項６に記載の方法において、前記トラフの前記床の前記液体排出穴からの前記液体を少なくとも１つの蒸留トレー又は少なくとも１つの充填床分配装置に接触させる工程を更に備える、方法。
【請求項８】
請求項６に記載の方法において、前記流れ管から排出された前記液体を前記ｖ字形板の領域内に案内する工程と、前記液体の流れの少なくとも一部分を領域の間にて制限する工程とを更に備え、前記領域は、前記ｖ字形板により画成された容積内にて垂直に配置され且つ、前記流れ管の前記出口の間にて離間分離された分割器により画成される、方法。
【請求項９】
請求項６に記載の方法において、前記液体は、前記トラフの前記床の前記液体排出穴を通って進んだ後、実質的に水平方向モーメント成分が無く且つ、乱流が実質的に存在しない、方法。
【請求項１０】
請求項６に記載の方法において、蒸気を前記ｖ字形板を通して排気する工程を更に備える、方法。
【発明の詳細な説明】
【技術分野】
【０００１】
本発明は、全体として、通常、物質移動カラム内にて使用される液体分配装置、及び該液体分配装置を使用して液体を分配する方法に関する。
【背景技術】
【０００２】
供給原材料成分の物質又は熱移動、分画又は分離及びその他の装置の作用の目的のため、気体及び液体が互いに接触する色々な型式の交換カラムが当該技術にて知られている。かかる交換カラム内での蒸気及び液体の向流の流れは、確立した蒸気−液体の接触方法となっている。実際の蒸気−液体の境界面は、カラム内にて蒸留トレー又は充填床を使用することを必要とする。液体は、トレー又は充填床の上方にて分配される一方、蒸気は、トレー又は充填床の下方にて分配される。トレーに降下し又は充填床を通って下方に滴下する液体は、蒸気−液体接触及び相互作用のため上方に上昇する蒸気に曝される。
【発明の開示】
【発明が解決しようとする課題】
【０００３】
カラムの内部の構成は、プロセス搭内にて生ずる蒸気−液体の境界面及び物質及びエネルギの同時的な移動の効率を決定する。均質な混合領域を形成する蒸留トレー又は充填床の対向し側部における蒸気及び液体を効果的に且つ均一に分配することは、効果的な作動にとっても極めて重要である。不均一な液体の分配は、上昇する蒸気流れと下降する液体流れとの間の接触及び物質移動を不良にする可能性がある。効率は作動コスト及び製造品質に直ちに変換されるから、今日、多くの設計のものが存在する。しかし、カラムの効率は、カラムの内部をわたる蒸気及び液体の分配効率によって制限される。例えば、蒸気又は液体の何れかが蒸留トレー又は充填床の一部分上にて均一に分配されなかった場合、その部分は、その完全な潜在能力まで使用されず、このため、作動効率及びコスト効果を低下させることになる。このため、トレー及び充填床自体を別にして、液体分配装置は、タワー内部の最も重要な装置である。タワーの性能の不良は、詰まり又は不均一な分配のような、液体の分配上の問題が原因となる場合がある。
【０００４】
充填床を使用するとき、蒸気と液体との不均質な小さい相互作用領域を通して効率を損失する可能性がある。多くの高効率の充填設計は、シートの対向した波状部により画成された通路を通して蒸気−液体の向流の流れを必要とする。液体又は気体の当初の分配が特定の波形のパターンに入ることができない場合、液体及び蒸気が付勢され、満たされていない充填領域に移行し且つこの充填領域を通って相互作用する迄、充填装置内の貴重な表面積が損失する。その結果、効率は不良となる。充填領域をわたる液体の分配を良くすれば、この問題点は軽減され、また、充填領域をわたって液体を一層良く分配するためには、充填床分配装置に供給する分割ボックスの液体の均一な分配を向上させることが望ましい。カラムに入る液体が分割ボックスの各部分をわたってより均一に分配される場合、分割ボックスの各部分は、液体供給材を充填床分配装置により均一に送り出すことができる。本発明の新規な液体分配装置は、正確な量の液体を均一な分配状態にて充填床分配装置に供給する分割ボックスとして機能することができる。
【０００５】
噴霧オリフィス、パイプ、有孔板、開口付きトラフ及びノズルのような、多くの先行技術の装置は、全体として、幾分かの蒸気及び幾分かの液体をトレー又は充填床分配装置の殆んどの部分に分配するのに効果的ではあるが、より精緻な分配装置を使用しなければ、通常、均一に分配することは実現できない。例えば、液体を単にトレーの頂部に噴霧する結果、トレーの特定の部分にて液体の流れは高濃度となり、その他の部分にて低濃度となることが多い。オリフィス分配装置は、全体として、詰まり易く、タワー内にて不均一な灌注となる。同様に、製造中に生ずる分配装置のパンの表面の凹凸は、幾つかの孔にて流れ抵抗を増大させ、又は、パンの底部に沿って液体の流れを誘発させ、このことは、明らかに不利なことである。全体として、その他の領域内の流れを減少させつつ、流れを１つの領域内にて収束させるいかなる流れの不規則性も作動効率にとって有害である。
【０００６】
液体を等しく且つ均一にトレーに分配するアセンブリを提供することが望ましい。従来の設計の例は、米国特許第６，７２２，６３９号明細書及び米国特許第４，７２９，８５７号明細書を含む。米国特許第４，７２９，８５７号明細書は、液体を外方に噴出すべく形成された穴を有する下方にテーパーを付けた本体部分が形成された複数のトラフを有する、液体の流れ分配装置を教示する。そらせ板がトラフの下方にテーパーを付けた本体部分の外方に配設されて、液体の吐出分を受け取り且つその液体の流れを下方に均一に分配する。米国特許第６，７２２，６３９号明細書には、離間分離され且つ、カラムをわたって伸びる複数の細長いトラフを含む液体分配装置が教示されている。複数の液体排出穴が、トラフの側壁に配置され且つ、トラフの床の上方にて離間分離されることが好ましい１つ以上の予め選んだ平面内に配置されている。撥ねそらせ板は、トラフの側壁から外方に離間分離されており、また、排出穴を通ってトラフから出る液体を受け入れるよう配置された上側部分を含む。撥ねそらせ板の下側部分は、トラフの下方の平面内にて狭小な排出出口を形成し、液体を撥ねそらせ板から下方に位置する物質移動床に送り出す。撥ねそらせ板は、垂直方向に調節可能であり、物質移動床の上面にて支持し、排出された液体が物質移動床に直接、送り出され、これにより落下する液体が物質移動床を通って上方に流れる蒸気の流れ内に取り込まれる機会を少なくすることを目的とする。
【０００７】
本発明は、特に、流れ管内の液体の速度が高速である状況にて、当該技術のものよりもより効率的である新規な液体分配アセンブリを提供する。この高効率の分配装置において、流れの等分配装置を通して液体の均一な流れが維持される。装置は、パターン化した開口を有するトラフと、トラフ内に配置された有孔のｖ字形板と、トラフの上方に配設された流れ管とを保持している。１つの好ましい実施の形態は、有孔のｖ字形板内に配置された分割器を更に有している。該装置は、蒸留トレーに対し液体を均一に分配するため使用することができる。幾つかの用途において、装置又は多数の装置セットは、充填した床分配装置に対し液体を均一に分配するための分割ボックスとして使用することができる。
【０００８】
流れ管は、通常、特定のパターンにて配置された、排出開口を有する開放トラフに対し多相液体を送り出す。幾つかの実施の形態において、多数の流れ管は、液体を開放トラフの回路網に送り出すことができる。トラフは、物質移動カラム内にて一般に使用され、液体を上方の領域から受け取り且つ、その液体を均一にその下方のトレーに再分配する。しかし、流れ管が開放トラフ内に直接、排出する場合、液体は、不均一な流量にてトラフの開口から排出されるであろう。流れ管からの排出口と直接、整合したこれらの開口は、より高流量の液体を経験し、また、流れ管の排出口と整合していない開口は、より低流量の液体を経験する。本発明のｖ字形板がトラフ内に収納された状態にて、流れ管から排出する液体の流量は、分裂され且つ変更されて、ｖ字形板の孔を通ってトラフ内に流れる液体はより均一となる。液体の流量の均一性は、有孔のｖ字形板に分割器が設けられる実施の形態において、更に向上する。１つの代替的な実施の形態において、多数のトラフは、液体を充填した床分配装置に均一に再分配する分割ボックスとして作用する。
【課題を解決するための手段】
【０００９】
１つの実施の形態において、本発明は、カラム内の開放した内部領域内に配置された１つ以上の蒸留トレーを有する物質移動カラム内にて使用される液体分配装置に関する。液体分配装置は、下降する液体の流れをトレーをわたって均一に分配し上昇する蒸気の流れと相互作用するようにする機能を果たす。液体分配装置は、カラムをわたって伸びる少なくとも１つの下方に位置する細長いトラフまで液体の流れを送り出す少なくとも１つの選択的な供給管を有している。トラフは、床によって相互に接続される離間分離した第一及び第二の側壁を有している。複数の液体排出穴が少なくとも床に配置されている。液体分配装置は、トラフ内に配置された有孔のｖ字形板を更に含み、このため、供給管からの液体は、トラフの床に遭遇する前に、有孔のｖ字形板を通過する。板は、「ｖ」字形の形をしていることが好ましいが、Ｗ字形のような、ｖ字形の多数のものとすることが考えられる。液体が有孔のｖ字形板を通るとき、その流れは、低速度のより小さい流れに分割され、トラフを通って流れるより均一な全体的な流量を提供する。次に、液体は、トラフをわたる実質的に均一な流量にて、トラフの排出出口から直接、トレーの上面に送り出される。
【００１０】
１つの実施の形態において、液体分配装置は、板の長さに対して垂直に配置された中実な垂直分割器を更に保持しており、これらの分割器は、板の幅を跨ぎ且つ、ｖ字形板により画成された容積内にて伸びている。分割器は、ｖ字形板の長さに沿った領域を画成し且つ、領域の間にて液体の水平方向流れに対して少なくとも部分的なバリアを提供する。分割器は、ｖ字形板内の液体レベルが特定のレベルに達したとき、液体が領域の間を流れるための径路を提供する領域的なオーバーフロー通路を選択的に許容する。更に別の実施の形態において、ｖ字形板は、支え支持体によりトラフ内にて支持されている。
【００１１】
本発明の別の実施の形態において、液体分配装置は、充填した床分配装置と、カラム内にて開放した内部領域内に配置された１つ以上の充填した床とを有する物質移動カラム内にて使用される。液体分配装置は、下降する液体の流れを充填した床分配装置をわたって均一に分配する分割ボックスとして機能する。この実施の形態において、複数のトラフ内に存在するトラフは、平行な関係にてカラムをわたって伸びており、トラフは、蒸気が隣接するトラフの間の間隔を通って上方に流れるのを許容するように離間分離されている。トラフからの液体は、トラフの下方にてカラム内に配置された充填した床分配装置に均一に分配される。
【００１２】
本明細書の一部を形成し且つ、本明細書と共に読むべき添付図面において、同様の部品を表示するため色々な図にて同様の参照番号が使用されている。
【図面の簡単な説明】
【００１３】
【図１】トラフの床にて開口パターンを有するトラフを示す頂面図である。
【図２】流れ管と、ｖ字形板と、分割器と、トラフとを含む、液体分配装置アセンブリの１つの実施の形態を示す、頂面図である。
【図３】蒸留トレー又は充填床分配装置の上方に配置されたカラム内の液体分配装置アセンブリを示す側面図である。
【図４】液体分配装置アセンブリの流れ管を支持するブラケットを示す端面図である。
【図５】流れ管と、ｖ字形板と、分割器と、トラフとを含む液体分配装置アセンブリを示す端面図である。
【図６】液体分配装置アセンブリの有孔ｖ字形板の拡大部分斜視図である。
【図７】液体分配装置アセンブリの分割器を示す端面図である。
【図８】ｖ字形板が多数のｖ字形を有し、ｗ字形となる、流体分割装置アセンブリの有孔ｖ字形板を示す拡大部分斜視図である。
【図９ａ】トラフ及びｖ字形板の１つの実施の形態を示す断面端面図である。
【図９ｂ】トラフ及びｖ字形板の別の実施の形態を示す断面端面図である。
【図１０】液体分配装置アセンブリを示す断面側面図である。
【図１１】液体分配装置アセンブリを示す断面端面図である。
【発明を実施するための形態】
【００１４】
物質移動又は熱交換カラムは、本発明の１つ以上の液体分配装置及び１つ以上の蒸留トレーが配置される、開放した内部領域を画成する直立の円筒状シェルを含む。液体分配装置は、蒸留トレーの水平方向断面をわたって１つ以上の下降する液体の流れをより均一に分配するため使用される一方、蒸留トレーは、下降する液体の流れと１つ以上の上昇する蒸気の流れとの間の接触を促進する。幾つかのカラムは、トレーに代えて、１つ以上の物質移動床を採用する。物質移動床は、構造体とした、格子又はランダム充填として従来から知られたものにのみ限定されない、色々な既知の型式の物質移動装置を備えている。液体は、充填した床分配装置を使用して床に分配され、この充填した床分配装置には、通常、充填した床の分割ボックスから供給される。新規な液体分配装置は、より従来型式の充填した床の分離ボックスに代えて使用し、液体を充填した床分配装置により均一に分配することができる。
【００１５】
カラムは、分画生成物を得ることを含んで、液体及び蒸気の流れを処理するため使用される型式のものである。カラムは、円筒状の形状又は多角形を含むその他の形状とすることができる。カラムは、任意の適宜な直径及び高さのものであり、また、カラム内に存在する流体及び状態に対して不活性であるすなわち別言すれば適合可能であることが好ましい、適宜に剛性な材料にて製造される。
【００１６】
液体の流れは、カラムの高さに沿った適宜な位置に配置された供給管を通してカラムに向けられる。供給管は、通常、液体のみを運ぶが、液体と共に、又は液体に代えて、蒸気を運ぶこともできる。カラムは、蒸気生成物又は副産物を除去する少なくとも１つの頭上管と、液体生成物又は副産物をカラムから除去する底部の流れ排出管とを含んでいる。還流流れ管、リボイラー、凝縮器、蒸気ホーン及び同様のもののような、その他のカラムの構成要素も存在するものとすることができる。
【００１７】
次に、図１、図２、図３及び図５を参照すると、液体分配装置２は、流れ管６内にて伝導された液体流れから液体を受け取る細長いトラフ４を含むことが好ましい。流れ管６は、液体を排出するため一連の出口穴２４を有している。流れ管６は、トラフ４の上方に配置されて重力による液体の導入を助けることを許容する。流れ管６は、通常、５から９１ｃｍ（２から３６インチ）の範囲の直径を有するが、より大きい直径も適している。出口穴２４の合計面積は、通常、流れ管６の断面積の５０％以下である。流れ管６は、直線状、「Ｔ」字形の形状、及び「Ｈ」字形の形状のような、色々な形状のものとすることができ、又は、側支管を有する主排気マニホルドを備えることができる。
【００１８】
トラフ４は、第一の方向に向けて水平に伸び且つ、カラムの直径又はその少なくとも実質的な一部分に相応する長さであることが好ましい。トラフ４は、床１２により接続された対向した側壁８、１０と、端部壁１４、１６とを有している。液体を少なくとも１つの蒸留トレーに送り出すため、複数の排出穴１８が床１２に設けられている。カラム３において、トラフは、通常、長手方向に伸びるカラム３の中心を通って配置される。トラフは、カラムを完全に又は実質的に横断して伸び、また、その端部にて、シェルの内面に溶接された上方リングのような手段により支持されることが好ましい。トラフの上方に配置された中間に位置するビームを使用し、トラフを流れ管に装着することにより、及び分配装置の支持格子を使用することによるような、その他の支持手段を使用することができる。トラフの寸法及び特定の構成は、所期の用途の特定の液体及び蒸気負荷の条件に適合するよう変更することができる。
【００１９】
トラフ４は、床１２に配置された複数の離間分離した液体排出穴１８を含む。排出穴１８は、特定のカラム及び蒸留トレーに合うよう特別に形成された予め選んだパターンにて配置されることが好ましい。排出穴１８のパターンはトラフ４の長さに沿って伸びている。排出穴１８は、通常、円形であり、同一の寸法であるが、その他の形状及び異なる寸法のものとすることができる。液体は、排出穴１８を通って流れ、また、同様に、カラム３内に収納された蒸留トレー又は充填した床分配装置３５まで下降する（蒸留トレー又は充填した分配装置の詳細は、図示していない）。
【００２０】
液体分配装置２のトラフ４は、トラフの長さに沿って伸びる有孔のｖ字形板２０を収容する。Ｖ字形板２０は、液体中の乱流又はモーメントを少なくし又は解消すると同時に、蒸気を排気することを許容する。排出穴１８と同様に、ｖ字形板２０の孔部分２２は、通常、円形であり且つ、同一寸法であるが、その他の形状及び異なる寸法とすることができる。孔は、分割機能を実現するが、これと同時に、液体をｖ字形板内にて不当に止め且つ蓄積させないようにするのに十分な寸法をしている。孔２２は、任意のパターンにて配置することができるが、ｖ字形板２０の完全な面の上方を伸びる均一なパターンにて離間分離されることが好ましい。本発明の１つの実施の形態において、孔２２は、液体がｖ字形板２０を通って流れるための開放領域として、ｖ字形板の表面積の４０％を提供する。Ｖ字形板２０は、トラフ４により形成された容積内に伸びるが、トラフ４の床１２に接触する程には伸びない。ｖ字形板２０の基部は、トラフ４内の液体ヘッドに隣接するが、そのヘッドよりも上方にならないようにすることが好ましい。１つの実施の形態において、ｖ字形板の基部、すなわちｖ字形板の下方箇所は、トラフの床から１５．２４センチ（６インチ）である。勿論、この寸法は、設計に依存して変更することができる。
【００２１】
１つの実施の形態において、ｖ字形板は、側壁８から側壁１０まで伸びるトラフ４の幅を跨ぐ。図５参照。別の実施の形態において、ｖ字形板は、トラフ４内にて支持されているが、側壁８から側壁１０までは伸びない。それに代えて、支え材３０は、ｖ字形板をトラフ４の容積内にて支持するため使用される。図９ａ及び図９ｂには、本発明の２つの異なる実施の形態の比較拡大図が示されている。図９ａには、側壁８から側壁１０まで伸びるｖ字形板２０が示されている。図９ｂには、これに反して、側壁８から側壁１０まで伸びる支え材３０により支持されたｖ字形板２０が示されている。設計の各々は、トラフを通して適正に排気することを許容する。図９ａにおいて、側壁８、１０の頂部に隣接するｖ字形板２０の孔２２は、蒸気が矢印３２で示したｖ字形板を通って流れるのを許容する。ｖ字形板２２の基部に隣接するｖ字形板２０の孔２２は、液体が矢印３４で示したようにｖ字形板を通って流れるのを許容する。図９ｂにおいて、支え材３０は、蒸気を矢印３２で示したトラフを通って排出することを可能にする。ｖ字形板２０の孔２２は、液体が矢印３４で示したｖ字形板を通って流れるのを許容する。
【００２２】
必ずしも必要とされるものではないが、ｖ字形板のｖ字形の基部が流れ管６の出口穴２４と整合する位置に配置されたとき、最大効率が実現される。有孔のｖ字形板がｗ形状のような、ｖ字形の多数を保持することは本発明の範囲に属する。図８参照。流れ管６が２列の出口穴を有するような状況にてｗ字形の形状は有益である。該板は、ｗ字形を構成する第一のｖ字形の基部が流れ管の第１列の出口穴と整合し、また、ｗ字形を構成する第二のｖ字形の基部が流れ管の第二の列の出口穴と整合するように、配置されよう。
【００２３】
流体の流れが出口穴を通って流れ管から出るとき、その流れは、出口穴の下方の局部領域内にて主として垂直方向下方に流れる。その流れがトラフの床まで中断せずに続くならば、トラフの異なる排出穴を通る流体の量及び流体の速度は、排出穴の位置に依存して異なるものとなろう。例えば、流れ管の出口穴と垂直に整合した排出穴は、流れ管の出口穴と整合されていない排出穴よりも高速度で且つより多量の液体を提供するであろう。更に、流れ管を出て且つトラフの床を打撃する液体によって顕著な乱流が発生する。この乱流は、トラフの排出穴を通る液体を更に分裂させる。本発明は、ｖ字形板を採用することにより、トラフの床の前方にて流体管の出口穴からの液体の流れを中断させる。ｖ字形板は、流れ管から出る流体の流れの各々をトラフの床の上方にて均一に拡がる多数の小さい流れに分割する作用を果たす。更に、流体管からの流体の大きい流れを多くのより小さい流れに分割する作用の結果、液体の速度は低下し、また、トラフの床まで下降する多くの小さい流れの速度を等しくする。流体管からの流体の大きい流れを多くの小さい流れに分割することは、トラフの床における液体の乱流を著しく少なくする作用も果たす。その全体的な結果は、液体がトラフの床までより均一に且つより小さい乱流状態にて分配される一方、このことは、その他の液体分配装置の設計と比較して液体を床の排出穴を通してより均一に分配することを許容することになる。
【００２４】
流れ管内の液体の構成及び速度に依存して、流れ管の出口穴から排出された液体の流れは、水平方向成分と、予想される垂直方向成分とを含むであろう。このため、流れは、流れ管からの出口穴と整合された垂直平面から離れるような角度にて外方に噴霧されるであろう。流れ管の出口穴からの液体流れの水平方向成分は、点検されないままであるとき、ｖ字形板の異なる孔を通って流れる液体が異なる方向の流れモーメントを有し且つ、液体ヘッドの不均衡を形成することになろう。ｖ字形板により形成された小さい流れは、液体を均一に分配することができず、また、異なる流れのモーメントの水平方向成分に依存して、トラフの部分内に多量に集中させるであろう。
【００２５】
この問題点に対処するため、本発明の１つの実施の形態は、ｖ字形板２０により形成された容積内にて水平に収容された分割器３４を採用する。分割器は、好ましくは、流れ管の出口穴の間にてｖ字形板の長さに沿って均一に離間分離されるものとする。分割器３４は、ｖ字形板の基部にて且つ、少なくとも部分的にｖ字形板の側部までｖ字形板と接触し、ｖ字形板２０の容積内に領域３６を形成する。分割器３４は、トラフの頂部に到達し且つ、図３に示したように、ｖ字形板２０及びトラフ４を越えて垂直に、流れ管６とｖ字形板２０との間の空間内に伸びることができるようにするのに十分な高さを有する。分割器３４とｖ字形板２０との接触は、液体が分割器３４とｖ字形板との間を流れず、また、少なくともｖ字形板３４の基部付近まで、領域から領域へと流れないようなものである。分割器は、ｖ字形板２０（図５）により形成された容積の形状に順応するよう三角形の形状とすることができ、又は、分割器３４は、領域的なオーバーフロー通路３８（図１１）を画成するようにするため五角形の多角形の形状とすることができる。領域的なオーバーフロー通路３８は、液体が領域から領域へと流れるが、１つの領域内の液体ヘッドが領域的なオーバーフロー通路３８のレベルまで異常に高く上昇しない状態においてのみ、その流れを許容する。このことは、不調、塵埃がｖ字形板の孔に詰まること及び同様のような状態にてトラフのオーバーフローを防止することになる。液体のレベルが領域的なオーバーフロー通路３８よりも下方に止まる限り、領域３６の間の液体の流れは分割器３４によりブロックされる。流れ管６から出る液体がモーメントの水平方向−成分を有するとき、液体は、分割器３４に衝撃を加え、分割器３４の表面に沿って排出され、また、特定の領域３６内に保持されるであろう。モーメントの水平方向成分は分裂され、このため孔２２を通ってより均一な液体の分配状態が実現される。
【実施例】
【００２６】
本発明の効果を実証するため、比較研究を行なった。３つの異なる装置を比較した。第一の装置は、ｖ字形板を含まないものとした。それに代えて、水平方向の平坦な有孔板をトラフの内部に設置し、流れ管の出口穴からトラフの床の排出穴までの液体の流れを分裂させるようにした。同様の装置は、米国特許第５，２０９，８７５号明細書及び米国特許第５，５７３，７１４号明細書に記載されている。次の装置は、本発明のｖ字形板を含むものとした。最後の装置は、新規なｖ字形板を有し、また、流れ管の出口穴の間の位置にてｖ字形板の容積内にて垂直に配置された分割器を更に有するものとした。装置の各々は、同一の液体で同一の状態にて作動させた。３つの異なる液体ヘッドの深さ及びトラフの床における３つの異なる排出穴のパターンにて装置の各々の性能を９回分析した。３つの異なる排出穴のパターンをパターンＡ、Ｂ、Ｃとして標識する。実験の各々にて、トラフの床の排出穴から出る液体の流量を測定し、また、％（最大／最小）−１分配の計算を行なった。％分配が小さければ小さい程、液体の分配状態はより均一となる。採取したデータは表に掲げてある。
【００２７】
【表１】
0004749490.tif 000002
【００２８】
データが示すように、ｖ字形板及び分割器を有するｖ字形板は、別の液体分配装置と比較して優れた性能を示した。１つの実験を除く、全ての実験にて、ｖ字形板を有する液体分配装置は共に、ｖ字形板無しの液体分配装置よりもより均一な流量を有することが分った。多くの場合、その改良の程度は劇的である。この例は、特定の用途にて、ｖ字形板又は分割器を有するｖ字形板を利用することは、液体の分配状態の均一さを向上させることができることを実証する。
【図１】
0004749490.tif 000003
【図２】
0004749490.tif 000004
【図３】
0004749490.tif 000005
【図４】
0004749490.tif 000006
【図５】
0004749490.tif 000007
【図６】
0004749490.tif 000008
【図７】
0004749490.tif 000009
【図８】
0004749490.tif 000010
【図９ａ】
0004749490.tif 000011
【図９ｂ】
0004749490.tif 000012
【図１０】
0004749490.tif 000013
【図１１】
0004749490.tif 000014